(57)【特許請求の範囲】
【請求項１】
送信部と受信部が伝送路を介して主データを伝送するシステムであって、
前記送信部は、前記主データであるデジタル音声入力データ及びシステムと非同期な関係にある補助入力信号が入力され、前記デジタル音声入力データの入力クロックからサンプルパルスを生成し、前記補助入力信号の立上りを起点としたのこぎり波を生成し、前記サンプルパルス毎に前記のこぎり波のサンプル値を生成し、前記サンプル値を前記主データに多重して前記受信部に伝送し、
前記受信部は、前記送信部から伝送された信号を受信し、該受信した信号から抽出したクロック信号によりサンプルパルスを生成し、該受信した信号から前記主データと前記サンプル値を分離し、前記サンプルパルスと前記サンプル値からのこぎり波を生成し、前記生成したのこぎり波の立上りを起点とした信号を補助出力信号として出力することを特徴とする伝送システム。
【請求項２】
請求項１記載の伝送システムであって、ＧＰＳ衛星から送信された信号を受信するＧＰＳ受信機を更に備え、前記補助入力信号を前記受信した信号から生成した１ｐｐｓの補助入力信号とすることを特徴とする伝送システム。
【請求項３】
伝送路を介して主データを伝送するシステムの送信装置であって、
前記主データであるデジタル音声入力データ及びシステムと非同期な関係にある補助入力信号が入力され、前記デジタル音声入力データの入力クロックからサンプルパルスを生成し、前記補助入力信号の立上りを起点としたのこぎり波を生成し、前記サンプルパルス毎に前記のこぎり波のサンプル値を生成し、前記サンプル値を前記主データに多重して伝送することを特徴とする送信装置。
【請求項４】
請求項３記載の送信装置であって、ＧＰＳ衛星から送信された信号を受信するＧＰＳ受信機を更に備え、前記補助入力信号を前記受信した信号から生成した１ｐｐｓの補助入力信号とすることを特徴とする送信装置。
【請求項５】
請求項３または請求項４のいずれかに記載の送信装置から伝送された信号を受信する受信装置であって、
前記受信した信号から抽出したクロック信号によりサンプルパルスを生成し、前記受信した信号から前記主データと前記サンプル値を分離し、前記サンプルパルスと前記サンプル値からのこぎり波を生成し、前記生成したのこぎり波の立上りを起点とした信号を補助出力信号として出力することを特徴とする受信装置。
【発明の詳細な説明】
【技術分野】
【０００１】
本発明は、伝送装置および伝送システムに関するものである。
【背景技術】
【０００２】
従来、ＧＰＳ受信部がＧＰＳ衛星から受信したＧＰＳ時刻に基づいてＧＰＳクロックを生成し、中央基地局から受信した呼出信号のユニークワード（ＵＷ）をＵＷ検出部で検出し、そのＵＷ検出時から次のＧＰＳクロック発生までの位相遅延時間を位相遅延検出部で検出し、その位相遅延時間分に相当する位相遅延補正部内のＤＰＲＡＭ上の読出アドレスを遅延アドレス生成部で変更することでＤＰＲＡＭから呼出信号を読み出すタイミングを次のＧＰＳクロック発生時となるよう調整した周辺基地局及びそれにおける同期方法の発明が開示されている（例えば、特許文献１参照。）。
【先行技術文献】
【特許文献】
【０００３】
【特許文献１】特開平８−３０７９２９号公報
【発明の概要】
【発明が解決しようとする課題】
【０００４】
前述の従来技術は、送信部である中央基地局と受信部である周辺基地局が共にＧＰＳ衛星からＧＰＳ信号を受信することにより同期する構成となっている。
本発明の目的は、送信部のみがシステムと非同期な関係にある補助入力信号として例えばＧＰＳ衛星からＧＰＳ信号を受信することにより、受信部でも送信部の同期信号を得ることである。
【課題を解決するための手段】
【０００５】
本発明の伝送システムは、送信部と受信部が伝送路を介して主データを伝送するシステムであって、送信部は、システムと非同期な関係にある補助入力信号から生成した位相データを主データに多重して受信部に伝送し、受信部は、送信部から伝送された信号を受信し、該受信した信号から主データと位相データを分離することを特徴とする。
【０００６】
また、本発明の伝送システムは、送信部と受信部が伝送路を介して主データを伝送するシステムであって、送信部は、システムと非同期な関係にある補助入力信号から生成した位相データを主データに多重して受信部に伝送し、受信部は、送信部から伝送された信号を受信し、該受信した信号内の送信部からの位相データと、受信部の位相データを比較し、比較した差が同一になるように制御を行う受信側再生部を搭載することを特徴とする。
【０００７】
また、本発明の伝送システムは、送信部と受信部が無線を介して音声データを伝送する無線伝送システムであって、送信部はＧＰＳ衛星からＧＰＳ受信機で受信した補助入力信号から生成した位相データを音声データに挿入して受信部に送信し、受信部は送信部から送信された信号を受信し、該受信した信号から音声データと位相データを分離することを特徴とする。
【０００８】
また、本発明の伝送システムは、上述の無線伝送システムであって、位相データは補助入力信号からサンプリングしたサンプル値であることを特徴とする。
【０００９】
さらに、本発明の伝送装置は、送信部から無線を介して音声データを伝送する伝送装置であって、送信部はＧＰＳ衛星からＧＰＳ受信機で受信した補助入力信号から生成した位相データを音声データに挿入して送信することを特徴とする。
【発明の効果】
【００１０】
本発明によれば、送信部のみが補助入力信号として例えばＧＰＳ衛星からＧＰＳ信号を受信することにより、受信部でも送信部の同期信号を得ることができる。
【図面の簡単な説明】
【００１１】
【図１】本発明の一実施例に係る無線伝送システムを説明するためのブロック図である。
【図２】デジタル音声入力データを説明するための図である。
【図３】タイミング抽出部を説明するための図である。
【図４】タイミング抽出部の動作を説明するためのタイミングチャートである。
【図５】本発明の一実施例に係るＧＥＮ部を説明するためのブロック図である。
【図６】本発明の一実施例に係るＧＥＮ部の動作を説明するためのタイミングチャートである。
【図７】本発明の一実施例に係るＭＵＸ部を説明するためのブロック図である。
【図８】本発明の一実施例に係るＭＵＸ部の動作を説明するためのタイミングチャートである。
【図９】本発明の他の一実施例に係るＧＥＮ部を説明するためのブロック図である。
【図１０】本発明の他の一実施例に係るＧＥＮ部の動作を説明するためのタイミングチャートである。
【図１１】本発明のさらに他の一実施例に係るＧＥＮ部を説明するためのブロック図である。
【図１２】本発明のさらに他の一実施例に係るＧＥＮ部の動作を説明するためのタイミングチャートである。
【図１３】本発明の一実施例に係るＲＥＧＥＮ部を説明するためのブロック図である。
【図１４】本発明の一実施例に係るＲＥＧＥＮ部の動作を説明するためのタイミングチャートである。
【発明を実施するための形態】
【００１２】
以下、本発明の実施形態について図面を参照して詳細に説明する。
本発明の実施形態は、ＳＴＬ（Studio  to  Transmitter  Link）に関するものであり、例えば、主データとして音声データなどを放送局の演奏所から送信所へ無線を介して伝送する。
図１は本発明の一実施例に係る無線伝送システムを説明するためのブロック図である。
図１において、無線伝送システムは、主に送信部であるＳＴＬ−Ｔ（Studio  to  Transmitter  Link-Transmitter）１１０と受信部であるＳＴＬ−Ｒ（Studio  to  Transmitter  Link-Receiver）１２０で構成され、電波１３０を介して音声データを伝送する。
【００１３】
ＳＴＬ−Ｔ１１０は、タイミング抽出部１１１、音声ＥＮＣ（Encoder）部１１２、ＧＥＮ（Generator）部１１３、ＭＵＸ（Multiplex）部１１４、ＭＯＤ（Modulator）部１１５、タイミングＣＮＴ−Ｔ（Controller-Transmitter）部１１６で構成されている。
ＳＴＬ−Ｒ１２０は、ＤＥＭＯＤ（Demodulator）部１２１、タイミング抽出部１２２、ＤＥＭＵＸ（Demultiplex）部１２３、音声ＤＥＣ（Decoder）部１２４、ＲＥＧＥＮ（Regenerator）部１２５、タイミングＣＮＴ−Ｒ（Controller-Receiver）部１２６で構成されている。
【００１４】
ＳＴＬ−Ｔ１１０において、タイミング抽出部１１１は、入力されたデジタル音声入力データから入力ＣＫを抽出し、抽出した入力ＣＫをタイミングＣＮＴ−Ｔ部１１６に出力する。
タイミングＣＮＴ−Ｔ部１１６は、ＩＮに入力された入力ＣＫからｔ１、ｔ２、ｔ３、ｔ４を生成する。
【００１５】
音声ＥＮＣ部１１２は、入力されたデジタル音声入力データを、例えば、ＭＰ３（MPEG-1  Audio  Layer-3）ファイルもしくはサブバンドＡＤＰＣＭ（Adaptive  differential  Pulse  code  modulation）フォーマットにｔ１を用いて圧縮し、圧縮したデータＤｔ(例えば、384kbps)をＭＵＸ部１１４に出力する。
補助入力は、図示していないＧＰＳ（Global  Positioning  System）衛星から送信された信号を図示していないＧＰＳ受信機で受信し、受信した信号からＧＰＳ受信機が生成した信号が１ｐｐｓ（１Ｈｚ）である。
ＧＥＮ部１１３は、入力された補助入力信号をのこぎり波に変換し、のこぎり波からｔ２で取込んだサンプル値ｓｕｂ(例えば、20kbps)をＭＵＸ部１１４に出力する。
【００１６】
ＭＵＸ部１１４は、音声圧縮データＤｔ(例えば、384kbps)をｔ３で取込み、取込んだ音声圧縮データＤｔにサンプル値ｓｕｂ(例えば、20kbps)を挿入してデータＤｍ(例えば、404kbps)を生成し、生成したデータＤｍをＭＯＤ部１１５に出力する。
ＭＯＤ部１１５は、データＤｍにエラー訂正符号や復調用ヘッダを付加し、ｔ４で変調して図示していないアンテナから電波１３０を送信する。ここでは、アンテナから電波を送信する場合について説明しているが、それ以外にも有線等の伝送路を用いてもよい。なお、変調方式は、例えば、６４ＱＡＭ（64  Quadrature  Amplitude  Modulation）である。
【００１７】
ＳＴＬ−Ｒ１２０は、図示していないアンテナから電波１３０を受信し、受信した信号をＤＥＭＯＤ部１２１に入力する。ここでは、アンテナから電波を受信する場合について説明しているが、それ以外にも有線等の伝送路を用いてもよい。
ＤＥＭＯＤ部１２１は、伝送されてきた信号からタイミング抽出部１２２でクロック信号を抽出し、抽出したクロック信号で伝送されてきた信号をデータＤｍｒに復調し、復調したデータＤｍｒをＤＥＭＵＸ部１２３に出力する。
【００１８】
また、タイミング抽出部１２２は、抽出したクロック信号をタイミングＣＮＴ−Ｒ部１２６に出力する。
タイミングＣＮＴ−Ｒ部１２６は、ＩＮにタイミング抽出部１２２から出力されたクロック信号を入力すると、入力されたクロック信号からｒ１、ｒ２、ｒ３を生成する。
【００１９】
ＤＥＭＵＸ部１２３は、入力されたデータＤｍｒをｒ１でデータＤｔ（音声データ）とサンプル値ｓｕｂｒに分離し、データＤｔを音声ＤＥＣ部１２４に出力し、サンプルｓｕｂｒをＲＥＧＥＮ（Regenerator）部１２５に出力する。
音声ＤＥＣ部１２４は、ｒ２を用いて入力された音声圧縮データＤｔを伸張してデジタル音声データに戻し、デジタル音声出力データとして出力する。
ＲＥＧＥＮ部１２５は、ＤＥＭＵＸ部１２３から出力されたサンプル値ｓｕｂｒから位相データである補助出力信号を出力する。
【００２０】
無線伝送システムは、図１の構成により、送信部であるＳＴＬ−Ｔ部１１０で圧縮した音声データに補助（入力）信号であるＧＰＳ受信信号の１ｐｐｓから生成した位相データを挿入して受信部であるＳＴＬ−Ｒ部１２０に送信し、ＳＴＬ−Ｒ部１２０で受信したデータを音声データと位相データに分離し、音声データを復調し、位相データを補助（出力）信号の１ｐｐｓに戻すことにより、受信部であるＳＴＬ−Ｒ部１２０が音声データの送信時の位相データを得て後段の機器に出力することができる。
【００２１】
次に、デジタル音声入力データについて、図２を用いて説明する。
図２はデジタル音声入力データを説明するための図である。
図２において、デジタル音声入力データは、例えば、デジタルオーディオインターフェイス規格ＡＥＳ／ＥＢＵ（Audio  Engineering  Society／European  Broadcasting  Union）の音声データである。デジタル音声入力データは、例えば、シリアル伝送用付加情報ありのデジタル連続データで、正味1.536Mzである。
デジタル音声入力データは、音声ＥＮＣ部１１２で音声圧縮データＤｔに圧縮される。
【００２２】
次に、タイミング抽出部１１１について、図３と図４を用いて説明する。
図３はタイミング抽出部を説明するための図である。
図４はタイミング抽出部の動作を説明するためのタイミングチャートである。
図３と図４において、タイミング抽出部１１１は、入力されたデジタル音声入力データから入力ＣＫを抽出する。
タイミング抽出部１１１は、例えば、旭化成（株）製のAK5385Bを用いて、デジタル音声入力データ（ＡＥＳ／ＥＢＵ）を入力することにより、1.536MHzが再生でき、1.536MHzを入力ＣＫとして出力する。
【００２３】
次に、ＧＥＮ部１１３について、図５と図６を用いて説明する。
図５は本発明の一実施例に係るＧＥＮ部を説明するためのブロック図である。
図５において、ＧＥＮ部１１３は、ＰＬＬ（Phase  Locked  Loop）部５０１、ＶＣＯ（Voltage  Controlled  Oscillator）部５０２、カウンタ部５０３、ＥＱ（Equalizer）検知部５０４、ＦＦ（Flip-Flop）部５０５で構成されている。
ＧＥＮ部１１３は、補助入力信号とサンプルパルスｔ２を入力することにより、サンプル値ｓｕｂを出力する。
【００２４】
図６は本発明の一実施例に係るＧＥＮ部の動作を説明するためのタイミングチャートである。
図６において、ＧＥＮ部１１３は、補助入力信号（１ｐｐｓ）をＰＬＬ部５０１のＡ入力に入力し、カウンタ部５０３が補助入力信号(1pps)の立上りからカウントを開始する。カウンタ部５０３のＯｕｔ（出力）のアナログ表記がのこぎり波である。
なお、補助入力信号（１ｐｐｓ）とカウンタ部５０３のＯｕｔ（出力）は、ＰＬＬ部５０１で同期を合わせている。
ＦＦ部５０５は、カウンタ部５０３のＯｕｔ（出力）をサンプルパルスｔ２でサンプル（カウント値の取込み）して、サンプル値ｓｕｂを得る。サンプル値ｓｕｂは、例えば、値＝２，１０，１８，５，１３，２１，８，・・・である。
ＰＬＬ部５０１は、Ａ入力とＢ入力のパルス位相を比較し、Ａ入力がＢ入力より早ければ、ＶＣＯ部５０２のｏｕｔの周波数を高める、Ａ入力とＢ入力が同時（同位相）であれば、ＶＣＯ部５０２のｏｕｔの周波数を維持、Ａ入力がＢ入力より遅ければ、ＶＣＯ部５０２のｏｕｔの周波数を低める。
ＥＱ検知部５０４は、カウンタ部５０３が所定の値に達したら、Ｏｕｔを出力し、カウンタ部５０３の値を０にリセットする。
【００２５】
次に、ＭＵＸ部１１４について、図７と図８を用いて説明する。
図７は本発明の一実施例に係るＭＵＸ部を説明するためのブロック図である。
図８は本発明の一実施例に係るＭＵＸ部の動作を説明するためのタイミングチャートである。
図７において、ＭＵＸ部１１４は、ＦＩＦＯ（First  In  First  Out）部７０１とＳＥＬＥＣＴＥＲ部７０２で構成されている。
図７と図８において、ＦＩＦＯ部７０１は、ＩＮに音声圧縮データＤｔを入力し、ＲＥにｔ３を入力することにより、音声圧縮データＤｔをｔ３に同期させてＯｕｔからＳＥＬＥＣＴＥＲ部７０２に出力する。
【００２６】
ＳＥＬＥＣＴＥＲ部７０２は、Ｉｎ−ＡにＦＩＦＯ部７０１のＯｕｔの信号を入力し、Ｉｎ−Ｂにｓｕｂサンプル値を入力することにより、音声圧縮データＤｔにサンプル値ｓｕｂを時分割的に挿入したデータＤｍを生成する。
データＤｍは、データ列ｎ，サンプル値ｓｕｂ＝２，データ列ｎ＋１，サンプル値ｓｕｂ＝１０，データ列ｎ＋２，サンプル値ｓｕｂ＝１８，データ列ｎ＋３，サンプル値ｓｕｂ＝５，データ列ｎ＋４，サンプル値ｓｕｂ＝１３，データ列ｎ＋５，サンプル値ｓｕｂ＝２１，・・・となる。
【００２７】
次に、ＲＥＧＥＮ部１２５について、図１３と図１４を用いて説明する。
図１３は本発明の一実施例に係るＲＥＧＥＮ部を説明するためのブロック図である。
図１３において、ＲＥＧＥＮ部１２５は、ＰＬＬ部１３０１、ＶＣＯ部１３０２、カウンタ部１３０３、ＦＦ部１３０４、ＥＱ検知部１３０５で構成されている。
ＲＥＧＥＮ部１２５は、ＰＬＬ部１３０１のＡにサンプル値ｓｕｂｒを入力し、ＦＦ部１３０４のＳｅｔにサンプルパルスｒ３を入力することにより、ＥＱ検知部１３０５のＯｕｔから補助出力１ｐｐｓ（１Ｈｚ）を出力する。なお、送信部から伝送された信号の位相データと、受信部の位相データを比較し、比較した差が同一になるように制御を行う主体となるＰＬＬ部１３０１、ＶＣＯ部１３０２、等を受信側再生部と称する。
【００２８】
図１４は本発明の一実施例に係るＲＥＧＥＮ部の動作を説明するためのタイミングチャートである。
図１３において、ＲＥＧＥＮ部１２５は、ＰＬＬ部１３０１のＡにサンプル値ｓｕｂｒを入力し、ＦＦ部１３０４のＳｅｔにｒ３サンプルパルスを入力することにより、図１４に示すカウンタ部１３０３のＯｕｔのカウンタ出力（アナログ表記）からのこぎり波を出力し、ＥＱ検知部１３０５がのこぎり波の立上り部分（一致）を検知して、補助出力１ｐｐｓ（１Ｈｚ）を出力する。
ＰＬＬ部１３０１は、入力Ａの多値ビットの値と入力Ｂの多値ビットの値を比較し、入力Ａ＞入力Ｂの場合、ＯｕｔをＶＣＯ部１３０２の周波数が高まるように変化させ、入力Ａ＝入力Ｂの場合、ＯｕｔをＶＣＯ部１３０２の周波数変化が無いように維持、入力Ａ＜入力Ｂの場合、ＯｕｔをＶＣＯ部１３０２の周波数が低くなるように変化させる。
伝送において、エラーの混入は極々稀には生じることがある。
そのため、ＰＬＬ部１３０１は、入力Ａと入力Ｂに、前回の差異よりも著しい差異を生じる入力があった場合は、Ｏｕｔ値の変化を一時停止する機能を設けても良い。
ＶＣＯ部１３０２は約１０ＭＨｚのＯｕｔを出力、ＥＱ検知部１３０５は値１０Ｍ-1（９、９９９、９９９）が入力された際にＯｕｔを出力する。
なお、サンプル値ｓｕｂｒのαは、ＳＴＬ−Ｔ１１０のＧＥＮ部１１３内のカウンタ部５０３のカウントアップ速度とＳＴＬ−Ｒ１２０のＲＥＧＥＮ部１２５のＶＣＯ部１３０２に従いかウントアップ動作しているカウンタ部１３０３の差分を示した表記である。
【００２９】
（他の一実施例のＧＥＮ部１１３ｂ）
次に、他の一実施例であるＧＥＮ部１１３ｂについて、図９と図１０を用いて説明する。
なお、ＧＥＮ部１１３ｂは、図１のＧＥＮ部１１３の代わりに使用することができる。
図９は本発明の他の一実施例に係るＧＥＮ部を説明するためのブロック図である。
図９において、ＧＥＮ部１１３ｂは、カウンタ部９０１とＦＦ部９０２で構成されている。
補助入力信号１（１ｐｐｓ）および補助入力信号２（１０ＭＨｚ）は、図示していないＧＰＳ衛星から送信された信号を図示していないＧＰＳ受信機で受信し、受信した信号からＧＰＳ受信機が生成した信号である。
ＧＥＮ部１１３ｂは、カウンタ部９０１のＣＫに補助入力信号２（１０ＭＨｚ）を入力し、カウンタ部９０１のＲｅｓｅｔに補助入力信号１（１ｐｐｓ）を入力することにより、ＦＦ部９０２のＯｕｔからサンプル値ｓｕｂを出力する。
【００３０】
図１０は本発明の他の一実施例に係るＧＥＮ部の動作を説明するためのタイミングチャートである。
図１０において、ＧＥＮ部１１３ｂは、補助入力信号１（１ｐｐｓ）をカウンタ部９０１のＲｅｓｅｔに入力し、補助入力信号２（１０ＭＨｚ）をカウンタ部９０１のＣＫに入力することにより、カウンタ部９０１がカウントを開始する。カウンタ部９０１のＯｕｔ（出力）であるカウント出力がのこぎり波（アナログ表記）である。
なお、補助入力信号（１ｐｐｓ）とカウンタ部９０１のＯｕｔ（出力）は、補助入力信号（１ｐｐｓ）の立上りでリセットを行って同期を合わせている。
ＦＦ部９０２は、カウンタ部９０１のＯｕｔ（出力）をサンプルパルスｔ２でサンプル（カウント値の取込み）して、サンプル値ｓｕｂを得る。サンプル値ｓｕｂは、例えば、値＝２，１０，１８，５，１３，２１，８，・・・である。
【００３１】
（さらに他の一実施例のＧＥＮ部１１３ｃ）
次に、さらに他の一実施例のＧＥＮ部１１３ｃについて、図１１と図１２を用いて説明する。
なお、ＧＥＮ部１１３ｃは、図１のＧＥＮ部１１３の代わりに使用することができる。
図１１は本発明のさらに他の一実施例に係るＧＥＮ部を説明するためのブロック図である。
図１１において、ＧＥＮ部１１３ｃは、カウンタ部１１０１、ＦＦ部１１０２、値変換部１１０３で構成されている。
補助入力信号１（１ｐｐｓ）およびＭＯＤクロックは、図示していないＧＰＳ衛星から送信された信号を図示していないＧＰＳ受信機で受信し、受信した信号からＧＰＳ受信機が生成した信号である。
【００３２】
図１２は本発明のさらに他の一実施例に係るＧＥＮ部の動作を説明するためのタイミングチャートである。
図１２において、ＧＥＮ部１１３ｃは、補助入力信号（１ｐｐｓ）をカウンタ部１１０１のＲｅｓｅｔに入力し、ＭＯＤクロックカウンタ部１１０１のＣＫに入力することにより、カウンタ部１１０１がカウントを開始する。カウンタ部１１０１のＯｕｔ（出力）であるカウント出力がのこぎり波（アナログ表記）である。
なお、補助入力信号（１ｐｐｓ）とカウンタ部１１０１のＯｕｔ（出力）は、補助入力信号１（１ｐｐｓ）の立上りでリセットを行って同期を合わせている。
【００３３】
ＦＦ部１１０２は、カウンタ部１１０１のＯｕｔ（出力）をサンプルパルスｔ２でサンプル（カウント値の取込み）して、サンプル値ｓｕｂ０を得る。サンプル値ｓｕｂ０は、例えば、値＝４，２０，３６，１０，２６，４２，１６，・・・である。
値変換部１１０３は、ＦＦ部１１０２のＯｕｔ（出力）を入力することにより、サンプル値ｓｕｂを得る。サンプル値ｓｕｂは、例えば、値＝２，１０，１８，５，１３，２１，８，・・・である。
【００３４】
本発明の実施形態である伝送装置および伝送システムは、送信部のみが補助入力信号として例えばＧＰＳ衛星からＧＰＳ信号を受信することにより、受信部でも送信部の同期信号を得ることができる。
【００３５】
以上本発明について詳細に説明したが、本発明は、ここに記載された伝送システムに限定されるものではなく、上記以外の伝送システムに広く適用することができることは言うまでもない。
例えば電波１３０ではなく、光信号に変換してファイバへ出力する形態もある。
また本例では、本線に相当する音声データＤｔと補助入力Ｓｕｂの２つの情報を伝送する構成を示したが、連絡用音声等のデータを含めて３つ以上の情報伝送を行うケースにも適用可能である。
１０ＭＨｚや１ｐｐｓの信号は一般にＧＰＳ制御されたルビジューム発振器から、出力される信号であるが、ＧＰＳ制御なしのルビジューム発振器、または、水晶発振器でも良い。
また、具体的な周波数においても、映像信号等で用いられる74.25MHｚと６０Hz等の組み合わせに対しても、ＥＱ検知部の値を別な値に設定することで適用可能である。
【符号の説明】
【００３６】
１１０：ＳＴＬ−Ｔ、１１１：タイミング抽出部、１１２：音声ＥＮＣ部、１１３：ＧＥＮ部、１１４：ＭＵＸ部、１１５：ＭＯＤ部、１１６：タイミングＣＮＴ−Ｔ部、１２０：ＳＴＬ−Ｒ、１２１：ＤＥＭＯＤ部、１２２：タイミング抽出部、１２３：ＤＥＭＵＸ部、１２４：音声ＤＥＣ部、１２５：ＲＥＧＥＮ部、１２６：タイミングＣＮＴ−Ｒ部、１３０：電波、５０１：ＰＬＬ部、５０２：ＶＣＯ部、５０３：カウンタ部、５０４：ＥＱ検知部、５０５：ＦＦ部、７０１：ＦＩＦＯ部、７０２：ＳＥＬＥＣＴＥＲ部、９０１：カウンタ部、９０２：ＦＦ部、１１０１：カウンタ部、１１０２：ＦＦ部、１１０３：値変換部、１３０１：ＰＬＬ部、１３０２：ＶＣＯ部、１３０３：カウンタ部、１３０４：ＦＦ部、１３０５：ＥＱ検知部。
【図１】
0006494018.tif 000002
【図２】
0006494018.tif 000003
【図３】
0006494018.tif 000004
【図４】
0006494018.tif 000005
【図５】
0006494018.tif 000006
【図６】
0006494018.tif 000007
【図７】
0006494018.tif 000008
【図８】
0006494018.tif 000009
【図９】
0006494018.tif 000010
【図１０】
0006494018.tif 000011
【図１１】
0006494018.tif 000012
【図１２】
0006494018.tif 000013
【図１３】
0006494018.tif 000014
【図１４】
0006494018.tif 000015